【手続補正書】
【提出日】平成17年2月8日(2005.2.8)
【手続補正１】
【補正対象書類名】明細書
【補正対象項目名】特許請求の範囲
【補正方法】変更
【補正の内容】
【特許請求の範囲】
【請求項１】
遊技機と別体のハウジングと、
前記ハウジングから遊技媒体を貸出のために払い出す媒体払出手段と、
ＣＲ媒体貸出機との間でＣＲ貸出用通信を行うＣＲ通信手段と、
前記ＣＲ通信手段によるＣＲ貸出用通信に基づいて、前記媒体払出手段による遊技媒体の払出を制御する媒体払出制御手段と、
を含むことを特徴とする遊技媒体貸出装置。
【請求項２】
請求項１に記載の遊技媒体貸出装置において、
前記媒体払出制御手段は、可変設定される遊技媒体の貸出単価に従った数量の遊技媒体を前記媒体払出手段に払いださせることを特徴とする遊技媒体貸出装置。
【請求項３】
請求項２に記載の遊技媒体貸出装置において、
遊技媒体の貸出単価を設定する貸出単価設定手段を含むことを特徴とする遊技媒体貸出装置。
【請求項４】
請求項１〜３のいずれかに記載の遊技媒体貸出装置において、
前記媒体払出制御手段は、複数の遊技媒体貸出装置と通信を行う外部制御装置から指示される貸出単価に従って前記媒体払出手段による遊技媒体の払出を制御することを特徴とする遊技媒体貸出装置。
【請求項５】
請求項１〜４のいずれかに記載の遊技媒体貸出装置において、
現金を受け付ける現金受付手段を有し、
現金を受け付けて遊技媒体を前記媒体払出手段から払い出す現金媒体貸出機としても機能することを特徴とする遊技媒体貸出装置。
【請求項６】
請求項５に記載の遊技媒体貸出装置において、
現金による媒体貸出の情報を前記ＣＲ媒体貸出機に送信することを特徴とする遊技媒体貸出装置。
【請求項７】
請求項１〜６のいずれかに記載の遊技媒体貸出装置において、
遊技場の会員カードを受け付けるカード受付手段を有し、
会員カードを受け付けて遊技媒体を前記媒体払出手段から払い出すカード対応媒体貸出機としても機能することを特徴とする遊技媒体貸出装置。
【請求項８】
請求項７に記載の遊技媒体貸出装置において、
会員カードによる媒体貸出の情報を前記ＣＲ媒体貸出機に送信することを特徴とする遊技媒体貸出装置。
【請求項９】
請求項７または８に記載の遊技媒体貸出装置において、
会員カードをもつ会員の遊技媒体の出入状況に応じて貸出単価を変更する手段を有することを特徴とする遊技媒体貸出装置。
【請求項１０】
請求項１〜９のいずれかに記載の遊技媒体貸出装置において、
遊技者の遊技媒体の出入状況に応じて貸出単価を変更する手段を有することを特徴とする遊技媒体貸出装置。
【請求項１１】
請求項１〜１０のいずれかに記載の遊技媒体貸出装置において、
前記ＣＲ遊技機における遊技媒体の出入状況に応じて貸出単価を変更する手段を有することを特徴とする遊技媒体貸出装置。
【請求項１２】
請求項１〜１１のいずれかに記載の遊技媒体貸出装置において、
前記遊技媒体払出手段は、パチスロ用の貸メダルを前記遊技媒体として払い出すことを特徴とする遊技媒体貸出装置。
【請求項１３】
隣り合う遊技機の間に設置されるサンド型ハウジングと、
前記サンド型ハウジングに設けられ、前記サンド型ハウジングから遊技媒体を貸出のために払い出す媒体払出手段と、
ＣＲ媒体貸出機との間でＣＲ貸出用通信を行うＣＲ通信手段と、
前記ＣＲ通信手段によるＣＲ貸出用通信に基づいて、前記媒体払出手段による遊技媒体の払出を制御する媒体払出制御手段と、
を含むことを特徴とする遊技媒体貸出装置。
【請求項１４】
隙間を開けて並んで配置される複数の遊技機と、
前記複数の遊技機の隙間に設置される遊技媒体貸出装置と、
を含み、
前記遊技媒体貸出装置は、
サンド型ハウジングと、
前記サンド型ハウジングから遊技媒体を貸出のために払い出す媒体払出手段と、
ＣＲ媒体貸出機との間でＣＲ貸出用通信を行うＣＲ通信手段と、
前記ＣＲ通信手段によるＣＲ貸出用通信に基づいて、前記媒体払出手段による遊技媒体の払出を制御する媒体払出制御手段と、
を含むことを特徴とする遊技設備。
【請求項１５】
遊技機と別体のハウジングに設けられ、前記ハウジングから遊技媒体を貸出のために払い出す媒体払出手段を制御する遊技媒体貸出制御装置であって、
ＣＲ媒体貸出機との間でＣＲ貸出用通信を行うＣＲ通信手段と、
前記ＣＲ通信手段によるＣＲ貸出用通信に基づいて、前記媒体払出手段による遊技媒体の払出を制御する媒体払出制御手段と、
を含むことを特徴とする遊技媒体貸出制御装置。
【請求項１６】
遊技機と別体のハウジングに設けられ、前記ハウジングから遊技媒体を貸出のために払い出す媒体払出手段を制御する遊技媒体貸出制御方法であって、
ＣＲ媒体貸出機との間でＣＲ貸出用通信を行い、
ＣＲ貸出用通信に基づいて、前記媒体払出手段による遊技媒体の払出を制御することを特徴とする遊技媒体貸出制御方法。
【請求項１７】
遊技機と別体のハウジングに設けられ前記ハウジングから遊技媒体を貸出のために払い出す媒体払出手段を制御するために、ＣＲ媒体貸出機との間でのＣＲ貸出用通信と、ＣＲ貸出用通信に基づく前記媒体払出手段による遊技媒体の払出の制御とをコンピュータ制御装置に実行させることを特徴とするプログラム。
【請求項１８】
複数の遊技媒体貸出装置と、前記複数の遊技媒体貸出装置と通信可能に接続される中央制御装置とを含み、前記中央制御装置が前記複数の遊技媒体貸出装置を制御する遊技媒体貸出システムであって、
前記中央制御装置は、前記複数の遊技媒体貸出装置との通信によって、前記複数の遊技媒体貸出装置に遊技媒体の貸出単価を指示し、
前記複数の遊技媒体貸出装置の各々は、
遊技機と別体のハウジングと、
前記ハウジングから遊技媒体を貸出のために払い出す媒体払出手段と、
ＣＲ媒体貸出機との間でＣＲ貸出用通信を行うＣＲ通信手段と、
前記ＣＲ通信手段によるＣＲ貸出用通信に基づいて、前記媒体払出手段による遊技媒体の払出を制御する媒体払出制御手段と、
を含むことを特徴とする遊技媒体貸出システム。
【請求項１９】
遊技機と別体のハウジングと、
前記ハウジングから遊技媒体を貸出のために払い出す媒体払出手段と、
ＣＲ媒体貸出機との間でＣＲ貸出用通信を行うＣＲ通信手段と、
前記媒体払出手段による遊技媒体の払出を制御する媒体払出制御手段と、
を含むことを特徴とする遊技媒体貸出装置。
【請求項２０】
隣り合う遊技機の間に設置されるサンド型ハウジングと、
前記サンド型ハウジングに設けられ、前記サンド型ハウジングから遊技媒体を貸出のために払い出す媒体払出手段と、
ＣＲ媒体貸出機との間でＣＲ貸出用通信を行うＣＲ通信手段と、
前記媒体払出手段による遊技媒体の払出を制御する媒体払出制御手段と、
を含むことを特徴とする遊技媒体貸出装置。
【請求項２１】
隙間を開けて並んで配置される複数の遊技機と、
前記複数の遊技機の隙間に設置される遊技媒体貸出装置と、
を含み、
前記遊技媒体貸出装置は、
サンド型ハウジングと、
前記サンド型ハウジングから遊技媒体を貸出のために払い出す媒体払出手段と、
ＣＲ媒体貸出機との間でＣＲ貸出用通信を行うＣＲ通信手段と、
前記媒体払出手段による遊技媒体の払出を制御する媒体払出制御手段と、
を含むことを特徴とする遊技設備。
【請求項２２】
遊技機と別体のハウジングに設けられ、前記ハウジングから遊技媒体を貸出のために払い出す媒体払出手段を制御する遊技媒体貸出制御装置であって、
ＣＲ媒体貸出機との間でＣＲ貸出用通信を行うＣＲ通信手段と、
前記媒体払出手段による遊技媒体の払出を制御する媒体払出制御手段と、
を含むことを特徴とする遊技媒体貸出制御装置。
【請求項２３】
遊技機と別体のハウジングに設けられ、前記ハウジングから遊技媒体を貸出のために払い出す媒体払出手段を制御する遊技媒体貸出制御方法であって、ＣＲ媒体貸出機との間でＣＲ貸出用通信を行い、かつ、前記媒体払出手段による遊技媒体の払出を制御することを特徴とする遊技媒体貸出制御方法。
【請求項２４】
遊技機と別体のハウジングに設けられ前記ハウジングから遊技媒体を貸出のために払い出す媒体払出手段を制御するために、ＣＲ媒体貸出機との間でのＣＲ貸出用通信と、前記媒体払出手段による遊技媒体の払出の制御とをコンピュータ制御装置に実行させることを特徴とするプログラム。
【請求項２５】
複数の遊技媒体貸出装置と、前記複数の遊技媒体貸出装置と通信可能に接続される中央制御装置とを含み、前記中央制御装置が前記複数の遊技媒体貸出装置を制御する遊技媒体貸出システムであって、
前記中央制御装置は、前記複数の遊技媒体貸出装置との通信によって、前記複数の遊技媒体貸出装置に遊技媒体の貸出単価を指示し、
前記複数の遊技媒体貸出装置の各々は、
遊技機と別体のハウジングと、
前記ハウジングから遊技媒体を貸出のために払い出す媒体払出手段と、
ＣＲ媒体貸出機との間でＣＲ貸出用通信を行うＣＲ通信手段と、
前記媒体払出手段による遊技媒体の払出を制御する媒体払出制御手段と、
を含むことを特徴とする遊技媒体貸出システム。